(57)【特許請求の範囲】
【請求項１】
適宜の形状に作られるフィンと、そのフィンの少なくとも下端を除いてそのフィンの周囲縁に突き出されるシールド・リップと、所定の位置においてそのフィンの裏面に突き出されて一体的に形成され、そして、支持側のブラケットに掛けられるフックと、そのフックの下でそのフィンのその裏面に突き出されて一体的に形成され、そして、そのブラケットの穴にはめ合わせられてそのブラケットにそのフックを外れ止めする爪とを含み、そして、そのフックが、ヘッド・ポケットと、そのヘッド・ポケットから下方に位置されてそのヘッド・ポケットの両側に伸びる左右のショルダ・リブと、その左右のショルダ・リブから下方に伸びる左右のショルダ・ガイド・リブと、そのヘッド・ポケット内にそのブラケットのヘッドを幅方向に規制するヘッド・ポジショニング・リブと、その左右のショルダ・ガイド・リブから互いに向かい合って突き出され、そして、そのブラケットのショルダを幅方向に外れ止めする左右のフランジと、その対応する左右のフランジに向かい合ってそのブラケットのそのショルダを幅方向に規制する左右のショルダ・ポジショニング・リブとで形成されるところの乗り物シートのヒンジ・ブラケットに使用されるフィニッシャ。
【請求項２】
そのフィン、フック、および爪が、硬質樹脂から一体的に形成され、そして、そのシールド・リップが、軟質樹脂から成形されてそのフィンのその裏面に溶着される請求項１に記載の乗り物シートのヒンジ・ブラケットに使用されるフィニッシャ。
【発明の詳細な説明】
【０００１】
【発明の関係する分野】
この発明は、乗り物シートのヒンジ・ブラケットに使用されるフィニッシャに関する。
【０００２】
【背景技術】
自動車シートのヒンジ・ブラケットは、リクライニング装置やフリー・ヒンジ・ブラケットを用い、そして、それらのヒンジ結合箇所をフィニッシャで覆って組み立てるのが一般である。そのフィニッシャは、支持側のブラケットにビス止めされるので、取付け作業が厄介で特にそれが手探り作業になると、作業性が非常に悪くなる。
【０００３】
【発明の課題】
この発明の課題は、支持側のブラケットに簡単で手早く取り付け可能にするところの乗り物シートのヒンジ・ブラケットに使用されるフィニッシャの提供にある。
【０００４】
【課題に相応する手段およびそれの作用】
この発明は、適宜の形状に作られるフィンと、そのフィンの少なくとも下端を除いてそのフィンの周囲縁に突き出されるシールド・リップと、所定の位置においてそのフィンの裏面に突き出されて一体的に形成され、そして、支持側のブラケットに掛けられるフックと、そのフックの下でそのフィンのその裏面に突き出されて一体的に形成され、そして、そのブラケットの穴にはめ合わせられてそのブラケットにそのフックを外れ止めする爪とを含み、そのフックをそのブラケットに引っ掛け、そして、その爪をそのブラケットのその穴にはめ合わせてワンタッチで取り付け可能にする。
【０００５】
【具体例の説明】
以下、特定されて図示された具体例に基づいて、この発明の乗り物シートのヒンジ・ブラケットに使用されるフィニッシャを説明するに、図１ないし図３は、ワゴンのサード・シートにおいてリクライニング装置に活用されるところのこの発明の乗り物シートのヒンジ・ブラケットに使用されるフィニッシャの具体例１０を示し、そして、そのフィニッシャ１０は、フィン１１、フック１３、および一対の爪１４，１４が硬質樹脂から一体的に成形され、一方、シールド・リップ１２が軟質樹脂から成形されてそのフィン１１にスポット溶着されるところの一体構造に製造される。
【０００６】
そのフィニッシャ１０では、そのフィン１１が、適宜の形状のカバー・プレートに作られ、また、そのシールド・リップ１２が、そのフィン１１の下端から前側の下方周囲部分を除いてそのフィン１１の残りの周囲縁に突き出され、さらに、フック１３が、所定の位置においてそのフィン１１の裏面１５に突き出されてそのフィン１１に一体的に形成され、そして、支持側のブラケット３０に掛けられ、またさらに、その一対の爪１４，１４が、そのフック１３の下でそのフィン１１のその裏面１５に突き出されてそのフィン１１に一体的に形成され、そして、そのブラケット３０の一対の穴３４，３４にはめ合わせられてそのブラケット３０にそのフック１３を外れ止めする。
【０００７】
そのシールド・リップ１２は、そのフィン１１のその残りの周囲縁に突き出されてそのフィン１１のその裏面１５に適宜の間隔を置いてスポット溶着される。
【０００８】
そのフック１３は、ヘッド・ポケット１７と、そのヘッド・ポケット１７から下方に位置されてそのヘッド・ポケット１７の両側に伸びる左右のショルダ・リブ１８，１８と、その左右のショルダ・リブ１８，１８から下方に伸びる左右のショルダ・ガイド・リブ１９，１９と、そのヘッド・ポケット１７内にそのブラケット３０のヘッド３１を幅方向に規制するヘッド・ポジショニング・リブ２０，２０と、その左右のショルダ・ガイド・リブ１９，１９から互いに向かい合って突き出され、そして、そのブラケット３０の左右のショルダ３２，３２を幅方向に外れ止めする左右のフランジ２１，２１と、その対応する左右のフランジ２１，２１に向かい合ってそのブラケット３０のその左右のショルダ３２，３２を幅方向に規制する左右のショルダ・ポジショニング・リブ２２，２２とで構成される。
【０００９】
そのヘッド・ポケット１７は、所定の位置でそのフィン１１のその裏面１５に突き出されてそのフィン１１に一体的に形成されるところのヘッド・ハウジング１６に下方に開口されて形成され、そして、その左右のショルダ・リブ１８，１８が、そのヘッド・ハウジング１６の下端の両側に連続されている。また、その左右のショルダ・ガイド・リブ１９，１９は、そのブラケット３０のそのショルダ３２，３２のテーパ面３３に適合される傾斜面２３，２３を備えている。それらショルダ・リブ１８，１８、ショルダ・ガイド・リブ１９，１９、ヘッド・ポジショニング・リブ２０，２０、およびショルダ・ポジショニング・リブ２２，２２は、所定の位置でそのフィン１１のその裏面１５に突き出されてそのフィン１１に一体的に形成される。
【００１０】
したがって、そのフィニッシャ１０は、そのブラケット３０がそのリクライニング装置のシート・クッション・ブラケット側に配置されるので、そのフック１３をそのブラケット３０に上から掛け、そして、その爪１４，１４をそのブラケット３０のその穴３４，３４にはめ合わせてそのブラケット３０に簡単で手早く取り付けられる。そのように、その取付けは、ワンタッチになって手探り作業になる場合にも簡単でビス止めに比べて作業性が向上される。また、そのフィニッシャ１０は、ビス止めに比べて解体が簡単にできて分別解体が容易になり、リサイクルが容易に可能になり、そして、希少資源の有効利用に貢献できる。
【００１１】
先に図面を参照して説明されたところのこの発明の特定された具体例から明らかであるように、この発明の属する技術の分野における通常の知識を有する者にとって、この発明の内容は、その発明の性質（ｎａｔｕｒｅ）および本質（ｓｕｂｓｔａｎｃｅ）に由来し、そして、それらを内在させると客観的に認められる別の態様に容易に具体化される。勿論、この発明の内容は、その発明の課題に相応し（ｂｅ  ｃｏｍｍｅｎｓｕｒａｔｅ  ｗｉｔｈ）、そして、その発明の成立に必須である。
【００１２】
【発明の便益】
上述から理解されるように、この発明の乗り物シートのヒンジ・ブラケットに使用されるフィニッシャは、適宜の形状に作られるフィンと、そのフィンの少なくとも下端を除いてそのフィンの周囲縁に突き出されるシールド・リップと、所定の位置においてそのフィンの裏面に突き出されて一体的に形成され、そして、支持側のブラケットに掛けられるフックと、そのフックの下でそのフィンのその裏面に突き出されて一体的に形成され、そして、そのブラケットの穴にはめ合わせられてそのブラケットにそのフックを外れ止めする爪とを含むので、この発明の乗り物シートのヒンジ・ブラケットに使用されるフィニッシャでは、そのフックをそのブラケットに上から掛け、そして、その爪をそのブラケットのその穴にはめ合わせることによってそのブラケットに簡単で手早く取り付け可能になり、そのようにその取付けはワンタッチになって手探り作業になる場合にも簡単でビス止めに比べて作業性が向上され、また、解体がビス止めに比べて簡単にできて分別解体が容易になり、リサイクルが容易に可能になり、そして希少資源の有効利用に貢献でき、その結果、乗り物シートのヒンジ・ブラケットにとって非常に有用で実用的である。
【図面の簡単な説明】
【図１】ワゴンのサード・シートにおいてリクライニング装置に活用されるところのこの発明の乗り物シートのヒンジ・ブラケットに使用されるフィニッシャの具体例を裏面側から見て示した斜視図である。
【図２】そのフィニッシャを示した背面図である。
【図３】支持側のブラケットに関連してフックおよび爪を示した斜視図である。
【符号の説明】
１１    フィン
１２    シールド・リップ
１３    フック
１４    爪
１５    裏面
３０    ブラケット
３４    穴
【図１】
0003847013.tif 000002
【図２】
0003847013.tif 000003
【図３】
0003847013.tif 000004